(57)【要約】【課題】容器の一端に嵌着された蓋が一旦外されたときには該蓋を再度容器の当該一端に嵌着させることができないようにする。【解決手段】円筒状の容器本体１と該容器本体の一端３に嵌着される蓋５とよりなり、該容器本体の当該一端には内側への折返し部７を形成し、該蓋は、略円板状部９の片面に略円筒状部１１を突設し、該略円板状部の該片面における周縁には突縁１３を備えさせ、該略円筒状部の基部１５における外面と該突縁の内面との間を該容器本体の前記一端を嵌入する隙間１７となし、該略円筒状部の外面には前記折返し部の内方端縁７ａに対応する環状段部１９を備えさせ、該蓋の該略円筒状部における先端部２１をその外径が容器本体の内径よりも大きくなるように拡開させてなり、前記蓋をテーパ状内面を備えた嵌着手段を用いて容器本体の前記一端に嵌着するようにしたことを特徴とする容器。【選択図】図１
2011240963.tif 000002
【特許請求の範囲】
【請求項１】
円筒状の容器本体と該容器本体の一端に嵌着される蓋とよりなり、
該容器本体の当該一端には内側への折返し部を形成し、
該蓋は、略円板状部の片面に略円筒状部を突設し、該略円板状部の該片面における周縁には突縁を備えさせ、該略円筒状部の基部における外面と該突縁の内面との間を該容器本体の前記一端を嵌入する隙間となし、該略円筒状部の外面には容器本体の前記一端における折返し部の内方端縁に対応する環状段部を備えさせ、該蓋の該略円筒状部における先端部を該先端部の外径が容器本体の内径よりも大きくなるように拡開させてなり、
前記蓋をテーパ状内面を備えた嵌着手段を用いて前記容器本体の前記一端に嵌着するようにしたことを特徴とする容器。
【請求項２】
前記蓋における前記略円筒状部の外面には、該略円筒状部の前記基部と前記環状段部との間に環状突条を形成したことを特徴とする請求項１に記載の容器。
【発明の詳細な説明】
【技術分野】
【０００１】
本発明は、食品、医薬品等を収納するための容器に関するものであり、特に、容器の一端に嵌着された蓋が一旦外されたときには該蓋を再度該容器の当該一端に嵌着させることができないようにした容器に係るものである。
【０００２】
本出願における「蓋」は、容器の一端に嵌着されるものであり、該蓋が嵌着される当該一端は、容器の如何なる端であってもよく、必ずしも容器の上端又は下端に限定されるものではない。
【背景技術】
【０００３】
食品、医薬品等（以下「被収納物」という。）を収納するための容器としては、紙、合成樹脂等の材料により形成された蓋付き容器が従来より用いられている。
【０００４】
特開平９−２０３５４号公報は、円筒状の紙缶における開口端に嵌合させるようにした紙缶用蓋を開示している。この紙缶用蓋を備えた紙缶も食品、医薬品等を収納するための容器として用いることが可能である。
【先行技術文献】
【特許文献】
【０００５】
【特許文献１】特開平９−２０３５４号公報
【発明の概要】
【発明が解決しようとする課題】
【０００６】
上述した従来の容器における蓋は、容易に着脱することができる。しかして、これらの容器は、被収納物を収納した状態で出荷され、運搬され、保管され、店頭に陳列されるため、その間に第三者が容器から蓋を取り外して該容器内に有害物、汚物その他の異物を不正に入れ、或いは該容器から被収納物を不正に取り出した後、該容器に再び蓋を取り付けるおそれがある。
【０００７】
上記従来の容器においては、蓋は容器に対し着脱容易であり、しかも、蓋を一旦容器から外した後、該蓋を再び該容器に取り付けても、蓋ないし容器を見ただけではその事実が判らないのである。したがって、購入者はこのような事実を知ることなく容器から被収納物を取り出して飲食することになり、第三者により容器内に不正に入れられた異物によっては、購入者に重大な結果が生ずるおそれがある。
【０００８】
また、上記従来の容器においては、蓋は容器に対し着脱容易であり、しかも、蓋を一旦容器から外した後、該蓋を再び該容器に取り付けても、蓋ないし容器を見ただけではその事実が判らないため、購入者は、自らが購入する前に該容器内に異物が不正に混入されているかも知れないという不安感を抱くおそれがある。
【０００９】
以上を要するに、上記従来の容器においては、消費者の安全と安心とを確保することができないのである。
【００１０】
このような状況に鑑み、本発明は、容器の一端に嵌着された蓋が一旦外されたときには該蓋を再度該容器の当該一端に嵌着させることができないようにした容器を提供することにより、消費者の安全と安心とを確保しようとしてなされたものである。
【課題を解決するための手段】
【００１１】
上記課題を解決するために、本発明は、下記の容器を提供する。
【００１２】
（１）円筒状の容器本体と該容器本体の一端に嵌着される蓋とよりなり、
該容器本体の当該一端には内側への折返し部を形成し、
該蓋は、略円板状部の片面に略円筒状部を突設し、該略円板状部の該片面における周縁には突縁を備えさせ、該略円筒状部の基部における外面と該突縁の内面との間を該容器本体の前記一端を嵌入する隙間となし、該略円筒状部の外面には容器本体の前記一端における折返し部の内方端縁に対応する環状段部を備えさせ、該蓋の該略円筒状部における先端部を該先端部の外径が容器本体の内径よりも大きくなるように拡開させてなり、
前記蓋をテーパ状内面を備えた嵌着手段を用いて前記容器本体の前記一端に嵌着するようにしたことを特徴とする容器（請求項１）。
【００１３】
（２）前記蓋における前記略円筒状部の外面には、該略円筒状部の前記基部と前記環状段部との間に環状突条を形成する（請求項２）。
【発明の効果】
【００１４】
［請求項１の発明］
蓋をテーパ状内面を備えた嵌着手段を用いて容器本体の前記一端に嵌着したときには、容器本体の当該一端は略円筒状部の基部における外面と前記突縁の内面との間に形成された隙間に嵌入され、容器本体の当該一端における折返し部の内方端縁は該略円筒状部の外面に備えさせた環状段部に係止される。該環状段部は蓋が容器本体から抜け出すことを防止する。したがって、該蓋は容器本体の当該一端に確実に固定される。
【００１５】
仮に、第三者が蓋を容器本体の当該一端から取り外すことができたとしても、該蓋の略円筒状部における先端部は該先端部の外径が容器本体の内径よりも大きくなるように拡開していたのであるから、当該第三者は該蓋を再び容器本体の当該一端に嵌着させることができない。
【００１６】
なお、第三者が店頭等で容器本体から蓋を取り外し、容器本体内に異物を混入させた後、予め用意したテーパ状内面を備えた嵌着手段を用いて該蓋を容器本体の当該一端に再び嵌着させることも全く不可能であるとは言い切れないかも知れないが、テーパ状内面を備えた嵌着手段を用いて該蓋を容器本体の当該一端に再び嵌着するという不正な行為を敢えて人目につき易い店頭等において行うとことは、現実には、考え難い。
【００１７】
したがって、食品、医薬品等を収納した容器についての消費者の安全と安心とが確保される。
【００１８】
［請求項２の発明］
蓋の略円筒状部外面における基部と環状段部との間に形成された環状突条は、蓋が容器本体の当該一端に嵌着されたときには、該容器本体の折返し部に圧接し、容器の気密性を確保する。
【図面の簡単な説明】
【００１９】
【図１】図１は、容器本体と蓋とを示す断面図である。
【図２】図２は、図１のＩＩ−ＩＩ線における断面図である。
【図３】図３は、図１のＩＩＩ−ＩＩＩ線における断面図である。
【図４】図４は、蓋を示す正面図である。
【図５】図５は、蓋を容器本体の一端に嵌着した状態を示す断面図である。
【図６】図６は、蓋を嵌着手段を用いて容器本体の一端に嵌着している状態を示す断面図である。
【図７】図７は、蓋を嵌着した容器本体を示す斜視図である。
【発明を実施するための形態】
【００２０】
本発明による容器は、円筒状の容器本体１と該容器本体１の一端３に嵌着される蓋５とよりなる。
【００２１】
容器本体１は、例えば紙又はポリプロピレン、ポリエチレン等の合成樹脂により形成する。蓋５は、例えばポリプロピレン、ポリエチレン等の合成樹脂により形成する。
【００２２】
容器本体１の当該一端３には内側への折返し部７を形成する。折返し部７は環状の肉厚部を形成する。なお、折返し部は、容器本体１を合成樹脂により形成する場合には、環状の肉厚部を意味するものとする。
【００２３】
蓋５は、略円板状部９の片面９ａに略円筒状部１１を突設し、該略円板状部９の該片面９ａにおける周縁には突縁１３を備えさせ、該略円筒状部１１の基部１５における外面１５ａと該突縁１３の内面１３ａとの間を該容器本体１の前記一端３を嵌入する隙間１７となし、該略円筒状部１１の外面１１ａには容器本体１の前記一端３における折返し部７の内方端縁７ａに対応する環状段部１９を備えさせ、該蓋５の該略円筒状部１１における先端部２１を該先端部２１の外径２３が容器本体１の内径２５よりも大きくなるように拡開させてなる。図1参照。
【００２４】
蓋５は、テーパ状内面（円錐状内面）３１を備えた嵌着手段（ジグ）３３を用いて容器本体１の前記一端３に嵌着する。図６参照。
【００２５】
蓋５における前記略円筒状部１１の外面１１ａには、該略円筒状部１１の前記基部１５と前記環状段部１９との間に環状突条３５を形成する。環状突条３５は、一例として断面略三角形条をなす。
【符号の説明】
【００２６】
１  容器本体
３  一端
５  蓋
７  折返し部
７ａ  内方端縁
９  略円板状部
９ａ  片面
１１  略円筒状部
１１ａ  外面
１３  突縁
１３ａ  内面
１５  基部
１５ａ  外面
１７  隙間
１９  環状段部
２１  先端部
２３  外径
２５  内径
３１  テーパ状内面
３３  嵌着手段
３５  環状突条
【図１】
2011240963.tif 000003
【図２】
2011240963.tif 000004
【図３】
2011240963.tif 000005
【図４】
2011240963.tif 000006
【図５】
2011240963.tif 000007
【図６】
2011240963.tif 000008
【図７】
2011240963.tif 000009